(57)【要約】      （修正有）【課題】組立て（施工）ないし固定及び解体を容易に行うことができる間仕切り用のパネルを提供する。【解決手段】この間仕切り用の格子状パネル１は、パネル主体４と、パネル主体４を室内に設けるための天井側装着部材２と床面側装着部材３とからなるもので、パネル主体４は、下方開口の係合溝を有する下枠と左右の枠４ｂ，４ｃとを方形状に枠組みして形成した枠体と、この枠体内に設けられる複数の縦桟４ｄと横桟４ｅで形成した格子状パネルで構成され、天井側装着部材２を、間仕切りたい部位の天井面に、床面側装着部材３を、天井面に相対する床面にそれぞれ固定し、固定された装着部材２，３の間に、パネル主体４を嵌入させることによって間仕切りを形成するよう構成されている。【選択図】図１
2018123601.tif 000002
【特許請求の範囲】
【請求項１】
所要の大きさと厚みを有するパネル主体と、前記パネル主体を室内に設けるための天井側装着部材と床面側装着部材とからなるものであって、
前記パネル主体は、下方開口の所要の深さの係合溝を有する下枠と左右の枠とを方形状に枠組みして形成した枠体と、この枠体内に設けられる複数の縦桟と横桟で形成した格子状パネルで構成され、
前記天井側および床面側装着部材は、いずれも断面コ字状であり、
前記床面側装着部材は、その底面の中央部に長手方向に沿って、前記係合溝と係合する、上方に突出した突出部を有し、
前記天井側装着部材を、間仕切りたい部位の天井面に、前記床面側装着部材を、前記天井面に相対する床面にそれぞれ固定し、
前記固定された装着部材の間に、前記パネル主体を嵌入させることによって間仕切りを形成するよう構成されていること
を特徴とする間仕切り用の格子状パネル構造。
【請求項２】
前記天井側および床面側装着部材のうち少なくとも一方は、
断面Ｌ状の装着主体と支持板で構成されていること
を特徴とする請求項１に記載の間仕切り用の格子状パネル構造。
【請求項３】
前記右枠は、
その縦の長さが前記左枠の縦の長さよりも長いこと
を特徴とする請求項１又は２に記載の間仕切り用の格子状パネル構造。
【請求項４】
下方開口の所要の深さの係合溝を有する下枠と左枠とを方形状に枠組みして形成した枠体の内部に、複数の縦桟と横桟で形成した格子状パネルを配して、パネル主体を形成し、
天井面に、断面Ｌ状の長尺の装着主体を固定し、
前記天井面に相対する床面に、底面の中央部に長手方向に沿って、前記係合溝と係合する、上方に突出した突出部を有する断面Ｌ状の長尺の装着主体を固定し、
前記装着主体の間に、前記パネル主体を嵌入させた後、各装着主体に、前記パネル主体を挟持するよう長尺の支持板を取り付け、
前記装着主体に右枠を当接・固定すること
を特徴とする間仕切り用の格子状パネルの施工方法。
【請求項５】
前記右枠は、
その縦の長さが前記左枠の縦の長さよりも長いこと
を特徴とする請求項４に記載の間仕切り用の格子状パネルの施工方法。
【発明の詳細な説明】
【技術分野】
【０００１】
この発明は、室内を所定の空間に仕切るための間仕切り用のパネル及びその施工方法に関するものである。
より詳しくは、室内における間仕切りの施工（組立て）ないし固定及び解体を容易に行うことを可能にする、間仕切り用のパネル及びその施工方法に関するものである。
【背景技術】
【０００２】
従来、室内空間を間仕切るための間仕切り壁構造として、間仕切り用の格子状のパネル構造が知られている。
このような格子状のパネル構造の構成の一例が、特許文献１に開示されている。
【０００３】
実用新案登録第２５２３９６８号公報（特許文献１）においては、家屋の外壁などに用いられる壁パネルが提案されている。
【０００４】
この壁パネルは、切断可能な桟材を縦横格子状に組み付けて各単位格子の縦×横の寸法を３００ｍｍ×３００ｍｍに設定した補強桟を形成し、この補強桟の表面にその全面に亘って切断可能な壁面材を接着して成るものである。
【先行技術文献】
【特許文献】
【０００５】
【特許文献１】実用新案登録第２５２３９６８号公報（実用新案登録請求の範囲，図１）
【発明の開示】
【発明が解決しようとする課題】
【０００６】
前記特許文献１に開示されている壁パネルは、施工現場において、切断などの複雑な加工を必要とするものであるため、汎用性に欠けるという問題があった。
【０００７】
さらに、施工現場で、釘や接着剤を使用して組立て・固定される従来の壁構造では、釘や接着剤による固定という作業工程を経る分手間がかかり、施工現場における施工性が悪いという問題もあった。
【０００８】
この発明はかかる現状に鑑み、組立て（施工）ないし固定及び解体を容易に行うことができる間仕切り用のパネルを提供せんとするものである。
【課題を解決するための手段】
【０００９】
前記目的を達成するため、この発明にかかる請求項１に記載の発明は、
所要の大きさと厚みを有するパネル主体と、前記パネル主体を室内に設けるための天井側装着部材と床面側装着部材とからなるものであって、
前記パネル主体は、下方開口の所要の深さの係合溝を有する下枠と左右の枠とを方形状に枠組みして形成した枠体と、この枠体内に設けられる複数の縦桟と横桟で形成した格子状パネルで構成され、
前記天井側および床面側装着部材は、いずれも断面コ字状であり、
前記床面側装着部材は、その底面の中央部に長手方向に沿って、前記係合溝と係合する、上方に突出した突出部を有し、
前記天井側装着部材を、間仕切りたい部位の天井面に、前記床面側装着部材を、前記天井面に相対する床面にそれぞれ固定し、
前記固定された装着部材の間に、前記パネル主体を嵌入させることによって間仕切りを形成するよう構成されていること
を特徴とする間仕切り用の格子状パネル構造である。
【００１０】
この発明の請求項２に記載の発明は、
請求項１に記載の間仕切り用の格子状パネル構造において、
前記天井側および床面側装着部材のうち少なくとも一方は、
断面Ｌ状の装着主体と支持板で構成されていること
を特徴とするものである。
【００１１】
この発明の請求項３に記載の発明は、
請求項１又は２に記載の間仕切り用の格子状パネル構造において、
前記右枠は、
その縦の長さが前記左枠の縦の長さよりも長いこと
を特徴とするものである。
【００１２】
この発明の請求項４に記載の発明は、
下方開口の所要の深さの係合溝を有する下枠と左枠とを方形状に枠組みして形成した枠体の内部に、複数の縦桟と横桟で形成した格子状パネルを配して、パネル主体を形成し、
天井面に、断面Ｌ状の長尺の装着主体を固定し、
前記天井面に相対する床面に、底面の中央部に長手方向に沿って、前記係合溝と係合する、上方に突出した突出部を有する断面Ｌ状の長尺の装着主体を固定し、
前記装着主体の間に、前記パネル主体を嵌入させた後、各装着主体に、前記パネル主体を挟持するよう長尺の支持板を取り付け、
前記装着主体に右枠を当接・固定すること
を特徴とする間仕切り用の格子状パネルの施工方法である。
【００１３】
この発明の請求項５に記載の発明は、
請求項４に記載の間仕切り用の格子状パネルの施工方法において、
前記右枠は、
その縦の長さが前記左枠の縦の長さよりも長いこと
を特徴とするものである。
【発明の効果】
【００１４】
この発明の間仕切り用の格子状パネル構造は、所要の大きさと厚みを有するパネル主体と、このパネル主体を室内に設けて間仕切るため天井面と床面のそれぞれに固着される一対の長尺の装着部材と、からなるもので、室内空間をきわめて容易に所望の大きさに間仕切ることができる。
【００１５】
前記間仕切り用の格子状パネル構造及びその施工方法においては、前記パネル主体は、下方開口の所要の深さの係合溝を有する下枠と左右の枠とを方形状に枠組みして形成した枠体と、この枠体内に設けられる複数の縦桟と横桟で形成した格子状パネルで構成され、前記装着部材は、いずれも断面コ字状であり、前記装着部材のうち、床面に固定される装着部材（床面側装着部材）は、その底面の中央部に長手方向に沿って、前記係合溝と係合する、上方に突出した突出部を有する。
したがって、前記装着部材の一方（天井側装着部材）を、間仕切りたい部位の天井面に、他方（床面側装着部材）を前記天井面に相対する床面にそれぞれ固定し、前記固定された装着部材の間に、前記パネル主体を嵌入させることによって、間仕切りを簡単に施工することが可能となる。
よって、室内空間の間仕切りを、熟練技術者を必要とせずに、低コストで簡単に施工することができる。
【００１６】
前記間仕切り用の格子状パネル構造においては、前記固定部材として、ボルトやビスなどの着脱可能な部材を使用するので、間仕切りの施工・解体は、容易である。
【００１７】
特に、前記間仕切り用の格子状パネル構造及びその施工方法においては、前記右枠の縦の長さを、前記左枠の縦の長さよりも長くすることによって、間仕切りの施工・解体がきわめて容易となる。
【図面の簡単な説明】
【００１８】
【図１】この発明にかかる間仕切り用の格子状パネルの一例を示す斜視図である。
【図２】図１に示す間仕切り用の格子状パネルの分解斜視図である。
【図３】図１に示す間仕切り用の格子状パネルの使用状態を示す説明図である。
【図４】図３に示す間仕切り用の格子状パネルのＡ−Ａ’断面図である。
【図５】この発明にかかる間仕切り用の格子状パネルを構成する装着部材を示す説明図である。
【図６】図５に示す装着主体に格子状パネルを取付ける一例を示す説明図である。
【図７】図６に示す、格子状パネルを取付けた状態の装着主体に支持板を取り付ける一例を示す説明図である。
【図８】図７に示す、支持板を取り付けた状態の装着主体に右枠を取り付ける一例を示す説明図である。
【発明を実施するための形態】
【００１９】
以下、この発明の間仕切り用のパネル（以下、単に「パネル」ともいう。）の一実施の形態の構成を、図面を参照して説明する。
なお、この発明は、図面に示す形態にのみ限定されるものではなく、要旨を変更しない範囲内において種々改良を加えることができるものである。
【００２０】
この発明にかかる間仕切り用のパネル１は、構築物の内部空間を所要の大きさの空間に間仕切るものであって、図３に示すように、当該構築物の間仕切りたい部位の天井面７と床面８に相対させて配置する上下の装着部材２，３と、パネル主体４からなるものである。
【００２１】
なお、この実施例において、前記装着部材２，３及びパネル主体４は、いずれも木材で構成されているが、それらの材質については、特に制限はなく、金属材料や樹脂材料などで構成してもよい。
【００２２】
前記装着部材２，３は、図１〜４に示すように、その一方の装着部材２を天井面７に、他方の装着部材３を床面８に、それぞれ適宜の固定部材によって固定して使用するものである。
【００２３】
図２において、天井面に固定される装着部材（天井側装着部材）２は、所要の厚みと長さとを有する断面Ｌ状の装着部材２ａと支持板２ｂから構成されるもので、これらを組み合わせることによって、所要の深さの凹部を有する断面コ字状体を形成するものである。
なお、前記凹部は、前記パネル主体４と嵌合する。
【００２４】
床面に固定される装着部材（床面側装着部材）３は、前記装着部材２と同様、所要の厚みと長さとを有する断面Ｌ状の装着部材３ａと支持板３ｂから構成されるもので、これらを組み合わせることによって、所要の深さの凹部を有する断面コ字状体を形成するものであるが、その底面の中央部に長手方向に沿って上方に突出した突出部３ｃが形成されている点で、前記装着部材２の構成と異なる。
なお、前記凹部が、前記パネル主体４と嵌合する。
【００２５】
なお、前記装着部材２，３の縦方向の幅は、縦桟４ｄ及び下枠４ａとの接合部よりも高くなるように設定することによって、前記接合部が隠蔽され、外観がよい。
【００２６】
前記パネル主体４は、図１及び２に示すように、下枠４ａと左枠４ｂと右枠４ｃとを方形状に枠組みして形成した枠状体と、この枠状体内に設けられる複数の縦桟４ｄ，４ｄ・・・と横桟４ｅ，４ｅ・・・で形成した格子状パネルで構成されている。
【００２７】
図１〜３において、前記右枠４ｃは、その縦の長さが前記左枠４ｂの縦の長さよりも長くなるように構成され、前記パネル主体４の形成に際しては、前記形成した格子状パネルの取付け後に、前記右枠４ｃの上端部を前記装着部材２に、下端部を前記装着部材３に、それぞれ係合固定するように構成されている。
このような構成によって、前記装着部材２，３又は装着主体２ａ，３ａを取付けた後に、横方向から格子状パネルを前記装着部材２，３又は装着主体２ａ，３ａにスライド嵌入させることが可能となるので、間仕切りパネル１の施工が容易となる。
【００２８】
図２において、前記縦桟４ｄ，４ｄ・・・の上端面と前記左枠４ｂの上端面は、側面視において面一になるように構成されている。
【００２９】
さらに、図２において、前記下枠４ａの下面には、所要の開口幅と深さを有する係合溝４ｆが長手方向に沿って、一端から他端まで形成されている。
【００３０】
以下、この発明にかかる間仕切り用パネルを、室内空間に設ける方法を具体的に説明する。
【００３１】
この間仕切り用パネル１は、図４に示すように、パネル主体４を、前記装着部材２，３を利用して取付けることによって形成されるものである。
【００３２】
間仕切り用パネル１の施工前においては、図２に示すように、あらかじめ下枠４ａと左枠４ｂとをＬ字状に形成した枠組み内に、複数の縦桟４ｄ，４ｄ・・・と横桟４ｅ，４ｅ・・・を配して、格子状パネルを形成しておく。
【００３３】
前記格子状パネルについては、前記左枠４ｂと前記縦桟４ｄ，４ｄ・・・の上端面を、側面視において面一になるように構成することによって、前記装着部材２と嵌合可能に構成する。
【００３４】
さらに、前記下枠４ａの下面に、長手方向に沿って内側に切り欠くことによって、所要の開口幅と深さを有する係合溝４ｆを形成し、前記装着部材３と嵌合可能、かつ、その突出部３ｃと係脱自在に構成する。
【００３５】
間仕切りパネル１の施工に際しては、まず、図５に示すように、前記間仕切り構造１を設けたい部位の天井面７に沿って前記装着部材２を構成する装着主体２ａを、この天井面７に相対する床面８に沿って前記装着部材３を構成する装着主体３ａを、各底面同士が相対する状態で、適当な固定手段を用いて固定する。
【００３６】
その際、前記固定手段としては、ボルトやビス、木ネジなどの着脱可能な固定部材を用いて固定することが好ましい。
その結果、間仕切りパネル１の施工及び解体が容易となるので、間仕切り位置を家庭環境に応じて容易に変更することが可能となる。
【００３７】
あらかじめユニットとして準備した前記格子状パネルを、図６に示すように、前記装着主体２ａと前記装着主体３ａとの間に、いずれか一方の側面から嵌入させて、起立した状態に維持する。
この状態で、図７に示すように、支持板２ｂ，３ｂを、ボルトやビス、木ネジなどの着脱可能な固定部材で固定する。
【００３８】
ついで、図８に示すように、前記右枠４ｃを、その上端と前記装着部材２を当接させ、下端と前記装着部材３を当接させる。
前記右枠４ｃには、ボルトやビス、木ネジなどの着脱可能な固定部材６を挿通させるための貫通孔５，５・・・が形成されているので、固定部材６を利用して固定する。
【００３９】
この発明においては、あらかじめ準備された格子状パネルユニットを、装着部材２と装着部材３との間に挟んで組立てる構成としたので、現地での施工が容易であるだけでなく、現地における製作において、管理しなければならない主要部材や部品の点数を少なくして管理を簡素化することができる。
【００４０】
なお、この実施例においては、下枠４ａと左枠４ｂとを方形状に枠組みして形成した枠体内に、複数の縦桟４ｄ，４ｄ・・・と横桟４ｅ，４ｅ・・・を配して、格子状パネルを形成した後、右枠４ｃを取り付ける例について説明したが、下枠と右枠とを方形状に枠組みして形成した枠体内に、複数の縦桟と横桟を配して、格子状パネルを形成した後、左枠を取り付けるようにしてもよい。
【００４１】
このように前記間仕切りパネル１は、天井面７と床面８の間に簡単に装着することができ、ボルトやビス、木ネジなどの着脱可能な固定部材で簡単に固定できるので、熟練技術者を必要とせずに、低コストで施工することができる。
なお、前記間仕切りパネル１の解体は、上記と逆の手順で行えばよい。
【００４２】
さらに、前記仕切りパネル１の左右の幅方向に、複数の間仕切りパネルを接合して並設する場合には、前記同様に施工すればよい。
【産業上の利用可能性】
【００４３】
この発明にかかる間仕切り用の格子状パネル構造は、その施工及び解体を容易に行うことを可能にするので、建築業界において幅広く利用されるものである。
【符号の説明】
【００４４】
１        間仕切りパネル
２        天井側の装着部材
２ａ      装着主体
２ｂ      支持板
３        床面側の装着部材
３ａ      装着主体
３ｂ      支持板
３ｃ      突出部
４        パネル主体
４ａ      下枠
４ｂ      左枠
４ｃ      右枠
４ｄ      縦桟
４ｅ      横桟
４ｆ      係合溝
５        貫通孔
６        固定部材
７        天井面
８        床面
【図１】
2018123601.tif 000003
【図２】
2018123601.tif 000004
【図３】
2018123601.tif 000005
【図４】
2018123601.tif 000006
【図５】
2018123601.tif 000007
【図６】
2018123601.tif 000008
【図７】
2018123601.tif 000009
【図８】
2018123601.tif 000010